(57)【要約】  缶（２０）、ボトル（４０）又はビンなどの保管容器から消費品（例えば飲料、ビール、食品、フルーツジュース、シャンパン）を供給するための供給アクセサリー（１０、３０、５０）及び方法であって、供給アクセサリーは、保管容器のリム（２２、２４）に押圧、プレス又は締まりばめの嵌合を形成する環状スロット（１８、２４、３４）などの結合手段を有する。供給アクセサリーは、消費品に合わせられた供給容器を形成し、消費者に前記消費品の送出のための密閉されていない開放容積を有する。供給アクセサリーは、耐久性のある透明なアクリルポリマーから製造され、グラスと同じような質感を有する。供給アクセサリーは、異物の破片及び虫による汚染から保護するために開口上端部に配置されたキャップ又はクロージャーを有し、フルート、杯又はカクテルグラスなどの物を類似した又は模倣する形状に提供されることができる。【選択図】図１
2011510872.tif 000002
【特許請求の範囲】
【請求項１】
金銭的利益のための消費品を提供するための方法であって、
供給アクセサリーと共に前記消費品用保管容器を提供することを備え、
前記供給アクセサリーは、
前記消費品に適応された供給容器を形成するために前記保管容器に結合可能な結合手段と、
消費のために消費者に前記消費品の送出のための密閉されていない開放容積とを有する方法。
【請求項２】
請求項１記載の方法において、
前記供給アクセサリーの形状は、前記保管容器によって少なくとも部分的に決定される方法。
【請求項３】
請求項１又は２記載の方法において、
前記供給アクセサリーの形状は、前記消費品のタイプによって少なくとも部分的に決定される方法。
【請求項４】
請求項１乃至３のうちのいずれか一つに記載の方法において、
前記供給アクセサリーは、押圧、プレス又は締まりばめ、あるいはそれらの組み合わせによって前記保管容器に結合される方法。
【請求項５】
請求項１乃至３のうちのいずれか一つに記載の方法において、
前記結合手段は、前記保管容器の対応する部分と係合するようになった少なくとも一つの係合部分を含む方法。
【請求項６】
請求項１乃至５のうちのいずれか一つに記載の方法において、
前記結合手段は、前記保管容器の対応する部分と係合するようになった環状スロットを含む方法。
【請求項７】
請求項１乃至５のうちのいずれか一つに記載の方法において、
前記結合手段は、前記保管容器の対応する部分と係合するようになったリップ部分を含む方法。
【請求項８】
請求項１乃至７のうちのいずれか一つに記載の方法において、
前記結合手段は、前記保管容器の二つ以上のデザインに対して前記供給アクセサリーの嵌合を可能にする方法。
【請求項９】
請求項１乃至８のうちのいずれか一つに記載の方法において、
前記供給アクセサリーは、介在アタッチメントによって前記保管容器に結合し、
前記介在アタッチメントは、前記保管容器の一つ以上のデザインに対して前記供給アクセサリーの結合を可能にする方法。
【請求項１０】
請求項１乃至９のうちのいずれか一つに記載の方法において、
前記供給アクセサリーは、キャップ又はクロージャーが提供される方法。
【請求項１１】
請求項８記載の方法において、
前記キャップ又はクロージャーはヒンジ付きである方法。
【請求項１２】
請求項１乃至１１のうちのいずれか一つに記載の方法において、
前記供給アクセサリーは、使い捨てにできる方法。
【請求項１３】
請求項１乃至１２のうちのいずれか一つに記載の方法において、
前記供給アクセサリーは、一つ以上の徴候がつけられている方法。
【請求項１４】
請求項１乃至１３のうちのいずれか一つに記載の方法において、
前記供給アクセサリーは、前記消費品のサポートマーケティング、プロモーション又は販売の目的のために提供される方法。
【請求項１５】
請求項１乃至１４のうちのいずれか一つに記載の方法において、
前記供給アクセサリーは、フルート、杯、ノニック、トランペット（ピルスナー）、スニフター、チューリップ、ペア又はカクテルグラスに似ている又は模倣した形状が提供される方法。
【請求項１６】
請求項１乃至１５のうちのいずれか一つに記載の方法において、
前記供給アクセサリーは、透明な材料で形成される方法。
【請求項１７】
請求項１乃至１６のうちのいずれか一つに記載の方法において、
前記消費品は、飲料である方法。
【請求項１８】
請求項１乃至１７のうちのいずれか一つに記載の方法において、
前記消費品は、食品である方法。
【請求項１９】
請求項１乃至１８のうちのいずれか一つに記載の方法において、
前記保管容器は、缶、ボトル又はビンである方法。
【請求項２０】
消費者への保管容器に収容された消費品の送出のための供給アクセサリーであって、
前記供給アクセサリーは、密閉されていない開放容積を有する本体と、前記保管容器に結合するための結合手段とを有し、
前記供給アクセサリーの形状は、前記保管容器によって及び前記消費者によって消費される前記消費品のタイプによって、少なくとも部分的に決定される供給アクセサリー。
【請求項２１】
請求項２０に記載の供給アクセサリーにおいて、
前記供給アクセサリーは、介在アタッチメントによって前記保管容器に結合し、
前記介在アタッチメントは、前記保管容器の一つ以上のデザインに対して前記供給アクセサリーの結合を可能にする供給アクセサリー。
【請求項２２】
請求項２０又は２１に記載の供給アクセサリーにおいて、
前記供給アクセサリーは、フルート、杯、ノニック、トランペット（ピルスナー）、スニフター、チューリップ、ペア又はカクテルグラスに似ている又は模倣した形状が提供される供給アクセサリー。
【請求項２３】
請求項２０乃至２２のうちのいずれか一つに記載の供給アクセサリーにおいて、
前記供給アクセサリーは、前記供給アクセサリーの開口上端部近傍に配置されたキャップ又はクロージャーが提供される供給アクセサリー。
【発明の詳細な説明】
【技術分野】
【０００１】
本発明は、飲料又は食品などの食用又は飲料アイテムである消費品を供給する方法に関する。
【背景技術】
【０００２】
飲料の分野では、消費者は缶、ビンまたはグラスから飲料のサービス間でしばしば難しい選択をしなければならない。この決定は、いくつかはグラスからの飲料のサービスでボトルから他のもののサービスを好む社会的含みがあり、間違った決定をすることは、侮辱に終わるかもしれない。しかしながら、味覚の問題もある。様々な消費者は、飲料に関する様々な味覚があり、特定の飲料はプラスチックボトルよりもグラスの方がよい味がすると考える。
【０００３】
さらに望ましいが、驚くほど挑戦的な目的は、飲料に適した供給容器で飲料を供給することである。例えば、タンブラータイプの供給容器又はグラスは清涼飲料のサービスにふさわしいのに対し、フルートスタイルの供給容器又はグラスは発泡ワインまたはシャンパンにふさわしいかもしれない。ビールのサービスでは、様々なスタイルのグラスが様々なスタイルのビールに適合される。ビール鑑定家のために、ビール供給グラスは、例えばビールのにおいを飲酒経験に取り込むことによって、泡に関心を向けることによって、あるいは飲む人の手でビールが温まるのを防止することによって、様々なスタイルのビールを補足しようと考慮される。飲酒経験に利用できると共に飲酒経験を最適にする様々な飲み物用グラスを考えると、特に、飲料のサービスのためのグラス及び他の容器の広範囲にわたる在庫品がある小売店環境では、特別注文で作られた供給容器を見つけることは難しいとわかるかもしれない。
【発明の概要】
【発明が解決しようとする課題】
【０００４】
この問題は、様々な飲料を小売りするように求められる大きなフェスティバルなど高い顧客量がある状況で激化される。従って、そのような場合には、解決は、プラスチックカップなどの単一のタイプの安くて使い捨てできるドリンク容器を提供することになってしまった。しかしながら、そのような方法での特定の飲料の供給は、飲酒経験全体を評価を下げる又は損ねる。
【０００５】
本発明の目的は、特に飲料のサービスにふさわしい消費品の供給方法を提供することであり、それは、消費品の特定の性質に消費品のための供給容器を合うようにする可能性を提供すると共に、食品が消費されるさまざまな方法の間の妥協を許容する。その目的は、特に飲料の消費者による供給、サービス及び楽しみを改善することである。
【０００６】
本発明のさらなる目的は、供給元または消費品メーカー以外の第三者の消費品、供給元またはサービスや商品のマーケティングを容易にする方法で消費品を供給することである。
【課題を解決するための手段】
【０００７】
この目的に関し、本発明は、金銭的利益のための消費品を提供するための方法であって、供給アクセサリーと共に前記消費品用保管容器を提供することを備え、前記供給アクセサリーは、前記消費品に適応された供給容器を形成するために前記保管容器に結合可能な結合手段と、消費のために消費者に前記消費品の送出のための密閉されていない開放容積とを有する方法を提供する。
【０００８】
消費品の供給の前後関係は、たとえば、輸送環境で提供される食物または飲料サービスの一部として小売店環境から消費品のサービスにわたるかもしれない。供給容器を保管容器に連結する能力は、特に液体の飲料の漏出を防止することを要求される安全な方法で、航空機、電車、船または他の輸送形態で消費品のサービスの役に立つ。
【０００９】
保管容器は、飲料の供給のために使われるあらゆる容器にすることができる。缶及びビンが典型的に使われる。容器は、ジュースのために使われるビンにすることができる。保管容器は、ガラス、アルミニウム、ポリエチレンテレフタル酸塩（ＰＥＴ）のようなプラスチックまたは食品の品質等級のワックスが塗布されたボール紙などのあらゆる材料で作られることができる。すなわち、保管容器は、例えば、プラスチックやガラスのボトル又はアルミ製缶の形態にすることができる。
【００１０】
缶、ボトル又は他の保管容器のいずれであろうと、供給アクセサリー及び容器への結合で結果として生じる供給容器は消費品の性質に合わせられる。供給アクセサリーは、消費品、特に合わせられ、特に消費品についての顧客認識は供給される消費品のタイプ、ブランドまたは他の特徴を反映する。例えば、供給アクセサリー及び容器は、ビールのようなさまざまな種類の飲料に適応することができる。供給容器は、色がないか、望ましい色を有するかに関係なく、グラスの形態をとることができる。供給容器は、透明にすることができる。供給容器は、消費品の性質に依存してカップまたはボウルの形態をとることができる。
【００１１】
供給アクセサリーは、飲料よりもむしろ子供用食品などの流体食品のサービスに使用されることができる。
供給アクセサリーは、保管容器に提供されたブランドの徴候と同じ又は異なる、トレードマークなどのマーケティング又はブランドの徴候が提供されることができる。このように、供給アクセサリーは、消費品、供給元または第三者のマーケティング又はプロモーションを支持するツールとして使用されることができる。たとえば、航空会社で供給される食品または飲料の場合、供給アクセサリーは、航空会社の商標をつけることができる。また、供給アクセサリーは、メーカーによって許可された場合、消費品のメーカーの商標をつけることができる。生産者は、供給アクセサリーをその消費品の製品ラインで供給することを選ぶことができる。また、供給アクセサリーは、消費品に関して共同ロモーションで市場に出されているスペシャルイベントと一致している商標及び情報を付されることができる。また、供給アクセサリーに提供される情報は、結婚式、誕生日または他の重要なイベントなどの特定のイベントに対して個人化にすることができる。
【００１２】
供給アクセサリーは、保管容器のためのクロージャー又はシールとして機能することを目的としない。むしろ、その保管容器が開けられ消費品が消費の準備ができているとき、供給アクセサリーは保管容器に結合される。さらに、供給アクセサリーは十分な保管能力を有しておらず、すなわち、供給アクセサリー及び／又は容器は、消費者による消費品の所望の消費率を可能にするために必要に応じて限られた期間以上に消費品を保管する必要がない。供給アクセサリー及び容器は、特に消費品が飲料である場合において、典型的使用で消費品で満たされるか封をされることを目的としない。主眼は、保管に関してでなくむしろ消費者による消費の経験を高めることである。
【００１３】
供給アクセサリーが保管容器に結合されるとき、それは、消費品が主に重力流れによって消費者に届けられる位置に、供給容器に付着する残余液体の大部分が保管容器の方へ戻される傾向がある位置に、あるいは、上記二つの位置の中間の位置にある。保管容器の一部は、供給容器のためのベースを提供することができ、ベースは、供給アクセサリーのシールとしてよりむしろ保管容器への結合ポイントとして機能する。供給アクセサリー及び容器は、流体保管容器に関連して形状付けられることができる。すなわち、保管容器は、缶、ボトルあるいは他の形態の容器にすることができ、供給容器は、その性質がどうであれ保管容器と結合するように形状付けられることができる。
【００１４】
供給アクセサリーを保管容器に結合するための結合手段は、供給アクセサリー及び保管容器のデザインによって異なる。供給アクセサリーは、保管容器用相補的係合部分と係合する一つ以上の係合部分の形態で結合手段を備える。代替的に、係合部分は、単に、保管容器の一部分に接触することができ、保管容器の特定のデザイン変更は、供給アクセサリーに適応するのに必要でない。
【００１５】
缶の場合では、供給アクセサリーの係合部分は、缶の縁部に限られないが缶の上部と係合するようになっている。平面でみた供給アクセサリーの底部は、缶の上部の外観とぴったりと似ているかもしれない。缶の直立したリムは、供給アクセサリーのベースに形成された有利な環状形態のスロットと係合できる。スロットと缶のリムの十分にしっかりとした嵌合は、押圧、プレス又は締まりばめによって得られるが、他の形態の結合を排除しない。結合手段又は係合部分は、缶の外径の内側に配置される。いずれにせよ、供給アクセサリーはグラスのような外観を有するが、これは新規な形状で提供される。
【００１６】
ボトルの場合では、供給アクセサリーは缶の場合とは異なる形態をとる。供給アクセサリーのためのグラス容器又は新規な外観は保持されるが、首が長いか短いかに関係なく、ボトルの形態によって決定された形態を有する。シャンパンボトルの場合、供給アクセサリーは、供給容器はフルート容器の形態をとり、供給アクセサリー及び容器は、飲料の性質に適応される。螺合、押圧、締まりばめ又はプレス嵌合の結合は、供給アクセサリーがボトルに結合される方法の一例である。
【００１７】
ビンの場合では、供給アクセサリーはボトルの場合と同じにすることができる。フルーツジュース容器のために、供給アクセサリーは、フルーツの形状及び／又は色を示唆することができる。
【００１８】
供給アクセサリーは、保管容器の二つ以上のデザインに適合されるのを可能にする結合手段を提供されることができ、様々な缶のデザインに対する供給アクセサリーの適合を増加する。すなわち、缶の場合では、さまざまな缶のデザインがあり、結合は缶のデザインに依存することができる。缶の一形態では、その形状は筒状であり、その端部は縁部に直立したリムを有するが実質的に平らである。このような場合、供給アクセサリーは缶の外縁部に結合される。缶の他の形態では、その開口部は、缶の外径よりも小さい径を有する先細になった又は突出した部分で提供され、その部分は、直立したリムを有する。供給アクセサリーは、両方のタイプの缶に結合するように形成されることができ、例えば、缶のどちらかのデザインの直立したリムと結合することができる二つの環状スロットを一端部に又は一端部近傍に提供されることができる。類似によって、供給アクセサリーは、異なるデザインのボトルと結合するように提供されることができる。対照的に、供給アクセサリーは、特定の保管容器に特有な結合手段又は係合部分で形状付けられることができ、保管容器の多数のデザインに関する使用が故意に排除される。供給アクセサリーが保管容器の一部分で曲げられないより硬い構成は、この目的を助ける。
【００１９】
供給アクセサリーは、介在アタッチメント又はアダプターによって保管容器に結合されることができる。アダプターは、デザインされた保管容器の形態と異なる他の形態の保管容器に結合される供給アクセサリーを助ける。内容物が短い期間、虫などの害虫から保護されるようにキャップ又はカバーは供給容器に提供されることができる。本発明の主眼が消費の感覚の経験を改善することであり、保管、特に漏れない又は無菌の保管の問題ではないので、そのようなキャップ又はカバーは、漏れないクロージャーを提供することを目的としない。一例として、ビールジョッキの効果を模倣するように、キャップ又はカバーは、ヒンジ付きの蓋として提供されることができる。
【００２０】
また、供給アクセサリーと保管容器を結合する能力は、ごみ処理の問題を減少することを助ける。両方のアイテムは一緒に処分されることができる。しかしながら、供給アクセサリーは、洗った後に再利用され、この目的のために弾性があり長持ちする材料で作られることができる。金属、セラミック及びポリマーを含むあらゆる適当な材料が使用されることができる。そのような材料は、食物及び飲料サービス産業において用いられる適当なポリマーであるのが望ましい。そのようなポリマーは、アクリルポリマー、ポリエチレンテレフタル酸塩（ＰＥＴ）、ポリプロピレン及びその他を含む。選ばれたポリマーには、金属より少ない弾性を有することができる。供給容器は、保管容器の一部上で曲げられるよりはむしろプレス嵌合又は締まりばめによって保管容器に結合可能な強くて堅い材料が望ましい。ポリマーは、低いつや消しなどの光学特性及び質感の特性に関して両方で許容できる消費者に対して選ばれる。
【００２１】
供給アクセサリー及び容器の材料の質感は、グラスから飲み物を飲む消費者の感覚を良くするのに選択されることができる。
本発明の方法及び供給アクセサリーが添付の図面に関して記載される。
【図面の簡単な説明】
【００２２】
【図１】図１は、本発明の一好適実施形態にかかる方法において使用する缶である供給アクセサリー及び保管容器のアッセンブリの側面図である。
【図２ａ】図２ａは、図１の供給アクセサリーの側面図である。
【図２ｂ】図２ｂは、図２ａの供給アクセサリーの側方断面図である。
【図２ｃ】図２ｃは、図１、図２ａ及び図２ｂの供給アクセサリーの底面図である。
【図３】図３は、本発明の一好適実施形態にかかる方法において使用するボトルである他の形態の供給アクセサリー及び保管容器のアッセンブリの側面図である。
【図４ａ】図４ａは、図３の供給アクセサリーの側方断面図である。
【図４ｂ】図４ｂは、図３及び図４ａの供給アクセサリーのベースの詳細な側方断面図である。
【図４ｃ】図４ｃは、図３、図４ａ及び図４ｂの供給アクセサリーの底面図である。
【図５】図５は、マーケティング徴候を含む図３のアッセンブリの側面図である。
【図６ａ】図６ａは、缶で使用する供給アクセサリーの他の形態の斜視図である。
【図６ｂ】図６ｂは、図６ａの供給アクセサリーの側方断面図である。
【図６ｃ】図６ｃは、図６ｂの詳細な側方断面図である。
【発明を実施するための形態】
【００２３】
好適実施例では、飲料は、売り場又は小売店の取引の一部として販売される。小売店は、缶の中に分配されると共にボトルの中に分配された飲料の広い在庫品を有する。缶は、ボトルとは異なるデザインにすることができる。一般的に、缶は清涼飲料またはミキサーを含むことができる。ボトルは、ビール又はスパークリングワインやシャンパンなどのワインを含むことができる。従って、小売店は、缶、ボトル又はビンなどの他の貯蔵容器、供給アクセサリー、及び、容器が消費品の性質に合わせられるかどうかに関係なく、その貯蔵容器のための供給アクセサリーの在庫品を維持できる。すなわち、供給アクセサリーは、ある種類の飲料に対する形状が他の種類の飲料に対する形状と異なる。特定の利点は、供給アクセサリーにその対応する飲料を供給することにより成し遂げられ、これは、小売店スタッフが飲料を供給する適当で視覚的に魅力的な容器を見つけるのを容易にする。もしそうでなければ、小売店スタッフは、組み合わされた形態の飲料貯蔵容器と供給アクセサリーとを供給することかできる。また、小売店スタッフは、アクセサリーなしで、または、従来のガラスで製品を提供できる。消費者は、味覚に依存して選択することができる。
【００２４】
図１は、おそらく清涼飲料の缶２０から販売される飲料又は缶２０に結合されているビールのための供給アクセサリー１０を示す。供給アクセサリー１０及び缶２０は、小売店によって一緒に供給される。供給アクセサリー１０は、外方に先細りした上部分１２と、ベース１５に終端する内方に先細りした下部分１４とを有する。外方に先細りした上部分１２は、支払い客による消費のための飲料水の送出用開放容積を有し、供給アクセサリー１０及び缶２０は、その二つの結合で供給容器を形成する。供給アクセサリー１０は、ガラスのような外見を有する耐久性のある透明なポリマーから製造される。アクリルポリマーが適当なポリマーである。アクリルポリマーは、ガラスと同じような質感を有するように加工される。
【００２５】
内方に先細りした下部分１４は、図２ｂ及び２ｃに示すように、そのベース１５に近隣した係合部分１６が提供され、係合部分は、缶２０の最大外径の内側で缶２０の上部のリム等の相補的部分と係合するように設計されている。そのために、ベース１５は、缶２０と同心の先端を切った円柱の形態で提供され、その壁には、環状スロット１８が提供される。缶２０の直立リム２２は、供給アクセサリー１０のベース１５に形成されたスロット１８と係合する。他の結合の形態が不可能ではないが、スロット１８とリム２２の十分にしっかりとした嵌合は、圧力又は締まりばめによって得られる。この係合部分は、提供される唯一の係合部分ならば、缶の一形態に特有であり、そして、例えばその外縁に近い直立リムを有する他の形態の容器又は缶に適用できない。
【００２６】
しかしながら、供給アクセサリー１０の場合、さらにすなわち第２の係合部分２４は、外方に先細りした上部分１２の底から下方に伸びる第２の同心の円柱の壁２２が提供される。第２の係合部分２４は、他の種類の一般に使用した缶の直立リムと係合する環状スロットの形態をとる。また、その嵌合は、圧力又は締まりばめによって成し遂げられる。
【００２７】
図３及び図４ａ乃至４ｃに示すように、ボトル４０の場合、供給アクセサリー３０は、缶２０の場合とは異なる形態をとり、飲料の異なる性質を反映する。供給アクセサリー３０に対しガラスと同じような質感が維持されるが、首が長いか短いかに関係なく、ボトル４０の形態によって決定された形態を有する。図示のように小さいシャンパンボトルの場合、供給アクセサリーは、縦溝が付いた容器、シャンパンの提供に向いた適当な供給容器の形態をとる。すなわち、消費者はシャンパンでフルート形状を連想する。供給アクセサリー３０は、飲料の性質に合わせられる。
【００２８】
縦溝付き供給アクセサリー３０のボトル４０への結合は、供給アクセサリー１０の缶２０への結合と同じ方法で行う。しかしながら、ボトルの上部４２は、缶の上部とは異なる形状を有し、縦溝付き供給アクセサリー３０のベース３２の直径はそれ相当に選択される。また、ベース３２は、環状スロット３４が形成された円柱の壁３３を有し、環状スロット３４は、供給アクセサリー３０のボトル４０への結合部分に関わる。環状スロット３４は、その上部４２のボトル壁と係合し、圧力又は締まりばめが供給アクセサリー３０をボトル４０に結合するのに使用される。環状スロット３４は、その上部のねじ山と相応するねじ山を提供されることができ、このねじ山は、購買消費者による消費に関するシャンパンの漏出を避けるために、よりしっかりとした摩擦係合による嵌合と、より良いシールを達成するのを助ける。
【００２９】
図５に示すように、供給アクセサリー３０は、トレードマークなどのマーケティング又はブランドの徴候を提供されることができる。図示の場合では、マーケティング徴候３６は、シャンパンのブランドを表し、ボトル４０自体に提供されたブランドと同じである。このように、縦溝付き供給アクセサリー３０は、シャンパンを市場に出すためのツールとして使われる。また、この場合のシャンパンにおいて、小売業者又は売り場のスタッフメンバーが供給アクセサリーを供給される製品と一致させるのを助ける。供給アクセサリーは、シャンパンまたは他の飲料製品のいろいろなラインと整合するように準備される。
【００３０】
同様に、供給アクセサリーは、特定の種類のビールを相互補完する形状で提供されることができる。例えば、ビールのタイプに依存して、供給アクセサリーは、杯、フルート、ノニック、トランペット（ピルスナー）、スニフターまたはチューリップグラスに似るように提供されることができる。さらに、供給アクセサリーは、ビールジョッキの効果に似ようにすると共に異物の破片及び虫による汚染から保護するように、ヒンジ付きの蓋の形態のキャップ又はクロージャーを付加的に提供されることができる。また、供給アクセサリーは、オヒシバに類似した形状で提供されることができ、それによって、新規な機能として使用されることができるアクセサリーを提供する。
【００３１】
これらのさまざまな供給アクセサリーの各々は、同様に押印されるか、さもなければ、各々の特定の供給アクセサリーで使われることを目的とする特定のタイプのビールに関する参照を含むマーケティング徴候が提供されることができる。
【００３２】
従って、様々な実施例の各々における供給アクセサリーが飲料製品ラインのマーケティング、プロモーション及び販売に役立つツールを提供することが理解されよう。供給アクセサリーは、例えば、新製品の売り出しを支持するために購入顧客に有利に支給されることができ、競争相手の製品より優れたマーケット優位を与えることができる目新しさを提供する。
【００３３】
供給アクセサリー５０のさらなる形態が図６ａ乃至図６ｃに示され、この形態は、缶２０への結合に特に適している。供給アクセサリー５０は、結合される缶２０の直径と同等な直径を有する筒状本体５４から実質的になる。供給アクセサリー５０は、そのベースの内面近傍に係合部分５２が提供される。係合部分５２は、缶２０のリム２２の相補的な部分と係合するように設計されたリップ５６を有する。従って、供給アクセサリー５０は、リップ５６と缶のリム２２のプレス又は締まりばめによって缶２０にしっかりと嵌合される。
【００３４】
また、供給アクセサリーと貯蔵容器の結合能力は、ごみ処理の問題を減少することを助ける。両方のアイテムは一緒に処分されるか、又は、供給アクセサリーは産業食器洗い機または類似した装置で洗浄されて再使用されることができる。適当な策略は衛生規定に依存する。
【００３５】
供給アクセサリーは、飲料と共に供給されるか別売りにすることができる。小売業者は、各タイプのアクセサリーの予想された需要より前に、アクセサリーを買い込むことができる。在庫品目を管理しているコンピュータープログラムは、この様相を管理するのに用いられる。供給アクセサリーは、無菌の包装で便利に提供される。
【００３６】
本発明の消費できる供給アクセサリーを供給する方法に対する修正及び変更は、この開示の熟練した読者にとって明らかになろう。そのような修正及び変更は、本発明の範囲内であると考えられる。たとえば、供給アクセサリーは、特に、構想中の飲料のサービスにふさわしい。供給アクセサリーは、サービスをを容易にするが、液体の飲料は口が開いた供給容器に保持されるよりもむしろ飲料保管容器に流出する傾向があるので乱気流の場合には流出の危険性を減らす。
【図１】
2011510872.tif 000003
【図２ａ】
2011510872.tif 000004
【図２ｂ】
2011510872.tif 000005
【図２ｃ】
2011510872.tif 000006
【図３】
2011510872.tif 000007
【図４ａ】
2011510872.tif 000008
【図４ｂ】
2011510872.tif 000009
【図４ｃ】
2011510872.tif 000010
【図５】
2011510872.tif 000011
【図６ａ】
2011510872.tif 000012
【図６ｂ−６ｃ】
2011510872.tif 000013
【国際調査報告】
2011510872.tif 000014
2011510872.tif 000015
2011510872.tif 000016